(57)【要約】【課題】個人情報を開示することなく不特定多数の人とコミュニケーションを取ることが可能なサーバを提供する。【解決手段】識別情報と通知先情報とを受信する受信部（３４）と、識別情報と通知先情報とを関連付けて管理する管理部（３５）と、識別情報を受信する受信部（３４）と、識別情報が一致するか否かを判定し、一致する場合に通知先に通知内容を通知する通知データ生成部（３６）と、を備えるサーバ（３０）。【選択図】図１
2015115891.tif 000002
【特許請求の範囲】
【請求項１】
第１の識別情報と第１の通知先情報とを受信する第１の受信手段と、
上記第１の識別情報と上記第１の通知先情報とを関連付けて管理する管理手段と、
第２の識別情報を受信する第２の受信手段と、
上記第２の識別情報と上記第１の識別情報とが一致するか否かを判定する判定手段と、
上記判定手段が一致すると判定した場合に、上記第１の識別情報に関連付けられた通知先情報が示す通知先に第１の通知内容を通知する通知手段と、を備えることを特徴とするサーバ。
【請求項２】
上記通知手段は、所定の時刻になった場合、または、上記第１の受信手段が上記第１の識別情報と上記第１の通知先情報とを受信してから所定の時間が経過した場合に通知を行うことを特徴とする請求項１に記載のサーバ。
【請求項３】
上記第１の受信手段が、上記第１の識別情報、および、上記第１の通知先情報とは異なる第２の通知先情報を受信した場合、
上記管理手段は、上記第１の識別情報と、上記第２の通知先情報とを関連付けて管理することを特徴とする請求項１または２に記載のサーバ。
【請求項４】
上記第２の受信手段が、上記第２の識別情報に加えて第３の通知先情報を受信した場合であって、上記判定手段によって上記第２の識別情報と上記第１の識別情報とが一致すると判定された場合、
上記管理手段は、上記第２の識別情報と上記第３の通知先情報とを関連付けて管理することを特徴とする請求項１〜３の何れか１項に記載のサーバ。
【請求項５】
上記管理手段は、所定の時刻になるまで、または、上記第１の受信手段が上記第１の識別情報と上記通知先情報とを受信してから所定の時間が経過するまで、上記第１の識別情報と上記第１の通知先情報との関連付けを変更しないことを特徴とする請求項４に記載のサーバ。
【請求項６】
上記第２の受信手段は、上記第２の識別情報に加えて付加情報を受信し、
上記通知手段は、上記第１の通知内容に上記付加情報を含めて通知することを特徴とする請求項１〜５の何れか１項に記載のサーバ。
【請求項７】
上記サーバは、上記第２の識別情報を送信する送信手段として通信端末を機能させるためのアプリケーションを配信するアプリケーション配信手段をさらに備えることを特徴とする請求項１〜６の何れか１項に記載のサーバ。
【請求項８】
上記通知手段は、上記第１の識別情報に関連付けられた通知先情報が示す通知先に上記第１の通知内容を通知することに加えて、上記第２の識別情報に関連付けられた通知先情報が示す通知先に第２の通知内容を通知することを特徴とする請求項１〜７の何れか１項に記載のサーバ。
【請求項９】
第１の通信端末、第２の通信端末、およびサーバを備える通知システムであって、
上記第１の通信端末は、
第１の識別情報と通知先情報とを上記サーバに送信する第１の送信手段を備え、
上記第２の通信端末は、
第２の識別情報を取得する識別情報取得手段と、
上記識別情報取得手段が取得した第２の識別情報を上記サーバに送信する第２の送信手段と、を備え、
上記サーバは、
上記第１の通信端末から、上記第１の識別情報と上記通知先情報とを受信する第１の受信手段と、
上記第１の受信手段が受信した第１の識別情報と通知先情報とを関連付けて管理する管理手段と、
上記第２の通信端末から、上記第２の識別情報を受信する第２の受信手段と、
上記第２の識別情報と上記第１の識別情報とが一致するか否かを判定する判定手段と、
上記判定手段が一致すると判定した場合に、上記第１の識別情報に関連付けられた通知先情報が示す通知先に通知内容を通知する通知手段と、を備えることを特徴とする通知システム。
【請求項１０】
制御装置を制御する制御方法であって、
第１の識別情報と通知先情報とを受信する第１の受信工程と、
上記第１の識別情報と上記通知先情報とを関連付けて管理する管理工程と、
第２の識別情報を受信する第２の受信工程と、
上記第２の識別情報と上記第１の識別情報とが一致するか否かを判定する判定工程と、
上記判定工程において一致すると判定された場合に、上記第１の識別情報に関連付けられた通知先情報が示す通知先に通知内容を通知する通知工程と、を含むことを特徴とする制御方法。
【請求項１１】
人、動物、又は物に付された識別子が示す識別情報を取得する識別情報取得手段と、
上記識別情報と通知先情報とをサーバに送信する送信手段と、
上記サーバから通知内容を受信する受信手段と、
を備えることを特徴とする通信端末。
【請求項１２】
人、動物、又は物に付された識別子が示す識別情報を取得する識別情報取得手段と、
上記識別情報をサーバに送信する送信手段と、を備えることを特徴とする通信端末。
【請求項１３】
サーバから取得した通知内容を通知する通信端末としてコンピュータを機能させるためのプログラムであって、当該コンピュータを、
人、動物、又は物に付された識別子が示す識別情報を取得する識別情報取得手段、および
上記識別情報をサーバに送信する送信手段、
として機能させるためのプログラム。
【請求項１４】
上記コンピュータを、更に、
上記サーバから通知内容を受信する受信手段、および
上記識別情報に加えて通知先情報を上記サーバに送信する送信手段
として機能させるための請求項１３に記載のプログラム。
【発明の詳細な説明】
【技術分野】
【０００１】
本発明は、識別情報に関連付けられた通知先に通知内容を通知するサーバ、通知システム、制御装置を制御する方法に関する。また、本発明は、当該通知システムに用いられる通信端末、およびプログラムに関する。
【背景技術】
【０００２】
近年、離れた場所にいる人に伝言を送る場合や、離れた場所にいる人と情報を共有する場合にコミュニケーションを取る方法として、電話や電子メールなどが広く利用されている。しかしながら、電話や電子メールを利用するには、個人情報である電話番号や電子メールアドレスを相手に開示する、または相手に開示してもらう必要があり、個人情報が流出する虞があるという問題があった。そこで、相手に直接個人情報を開示せずに、離れた場所にいる人とコミュニケーションを取る方法が、開示されている。
【０００３】
例えば、特許文献１には、ユーザが訪れた場所の行動履歴をユーザと関連付けて記憶しており、他のユーザが当該場所を訪れた場合に、記憶している行動履歴を当該他のユーザに通知する行動履歴検索装置が開示されている。
【０００４】
また、特許文献２には、ユーザから入力された伝言内容を伝言装置に送信する伝言板システムが開示されている。
【先行技術文献】
【特許文献】
【０００５】
【特許文献１】特開２０１０−２６７１０５号公報（２０１０年１１月２５日公開）
【特許文献２】特開２００７−２１３３３４号公報（２００７年８月２３日公開）
【発明の概要】
【発明が解決しようとする課題】
【０００６】
しかしながら、上述のような従来技術では、予め登録したユーザ以外のユーザとはコミュニケーションを取ることができない。例えば、特許文献１に記載の行動履歴検索装置では、ユーザ同士が関連付けられている場合に、行動履歴が通知される。また、特許文献２に記載の伝言板システムでは、グループ登録しているユーザ以外のユーザは伝言内容を伝言装置から受け取ることができない。換言すると、従来技術では、個人情報の開示を抑止できるものの、不特定多数のユーザと情報を共有したり、不特定多数のユーザから伝言を受け取ったりすることはできない。
【０００７】
本発明は上記問題に鑑みてなされたものであり、その目的は、ユーザがお互いに個人情報を開示することなく不特定多数の人とコミュニケーションを取ることが可能なサーバを提供することにある。
【課題を解決するための手段】
【０００８】
上記の課題を解決するために、本発明の一態様に係るサーバは、第１の識別情報と第１の通知先情報とを受信する第１の受信手段と、上記第１の識別情報と上記第１の通知先情報とを関連付けて管理する管理手段と、第２の識別情報を受信する第２の受信手段と、上記第２の識別情報と上記第１の識別情報とが一致するか否かを判定する判定手段と、上記判定手段が一致すると判定した場合に、上記第１の識別情報に関連付けられた通知先情報が示す通知先に第１の通知内容を通知する通知手段と、を備える。
【０００９】
また、上記の課題を解決するために、本発明の一態様に係る通知システムは、第１の通信端末、第２の通信端末、およびサーバを備える通知システムであって、上記第１の通信端末は、第１の識別情報と通知先情報とを上記サーバに送信する第１の送信手段を備え、上記第２の通信端末は、第２の識別情報を取得する識別情報取得手段と、上記識別情報取得手段が取得した第２の識別情報を上記サーバに送信する第２の送信手段と、を備え、上記サーバは、上記第１の通信端末から、上記第１の識別情報と上記通知先情報とを受信する第１の受信手段と、上記第１の受信手段が受信した第１の識別情報と通知先情報とを関連付けて管理する管理手段と、上記第２の通信端末から、上記第２の識別情報を受信する第２の受信手段と、上記第２の識別情報と上記第１の識別情報とが一致するか否かを判定する判定手段と、上記判定手段が一致すると判定した場合に、上記第１の識別情報に関連付けられた通知先情報が示す通知先に通知内容を通知する通知手段と、を備える。
【００１０】
また、上記の課題を解決するために、本発明の一態様に係る制御方法は、制御装置を制御する制御方法であって、第１の識別情報と通知先情報とを受信する第１の受信工程と、上記第１の識別情報と上記通知先情報とを関連付けて管理する管理工程と、第２の識別情報を受信する第２の受信工程と、上記第２の識別情報と上記第１の識別情報とが一致するか否かを判定する判定工程と、上記判定工程において一致すると判定された場合に、上記第１の識別情報に関連付けられた通知先情報が示す通知先に通知内容を通知する通知工程と、を含む。
【００１１】
また、上記の課題を解決するために、本発明の一態様に係る通信端末は、人、動物、又は物に付された識別子が示す識別情報を取得する識別情報取得手段と、上記識別情報と通知先情報とをサーバに送信する送信手段と、上記サーバから通知内容を受信する受信手段と、を備える。
【００１２】
また、上記の課題を解決するために、本発明の一態様に係る通信端末は、人、動物、又は物に付された識別子が示す識別情報を取得する識別情報取得手段と、上記識別情報をサーバに送信する送信手段と、を備える。
【００１３】
また、上記の課題を解決するために、本発明の一態様に係るプログラムは、サーバから取得した通知情報を通知する通信端末としてコンピュータを機能させるためのプログラムであって、当該コンピュータを、人、動物、又は物に付された識別子が示す識別情報を取得する識別情報取得手段、および上記識別情報をサーバに送信する送信手段、として機能させる。
【発明の効果】
【００１４】
本発明の一態様によれば、ユーザがお互いに個人情報を開示することなく不特定多数の人とコミュニケーションを取ることが可能である。
【図面の簡単な説明】
【００１５】
【図１】本発明の実施形態１に係る通知システムの構成を示すブロック図である。
【図２】本発明の実施形態１に係る通知システムの処理の流れを示すシーケンス図である。
【図３】本発明の実施形態１において、スマートフォンに表示される画面の一例を示す図である。
【図４】本発明の実施形態１において、通知先情報記録部に記録されているテーブルの一例を示す図である。
【図５】本発明の実施形態２において、スマートフォンに表示される画面の一例を示す図である。
【図６】本発明の実施形態３において、スマートフォンに表示される画面の一例を示す図である。
【図７】本発明の実施形態４に係る通知システムの処理の流れを示すシーケンス図である。
【図８】本発明の実施形態４において、スマートフォンに表示される画面の一例を示す図である。
【図９】本発明の実施形態４において、通知先情報記録部に記録されているテーブルの一例を示す図である。
【図１０】本発明の実施形態５において、スマートフォンに表示される画面の一例を示す図である。
【図１１】本発明の実施形態８に係る通知システムの処理の流れを示すシーケンス図である。
【図１２】本発明の実施形態８において、スマートフォンに表示される画面の一例を示す図である。
【図１３】本発明の実施形態９に係る通知システムの構成を示すブロック図である。
【図１４】本発明の実施形態９に係る通知システムの処理の流れを示すシーケンス図である。
【図１５】本発明の実施形態９において、通知先情報記録部に記録されているテーブルの一例を示す図である。
【図１６】本発明の実施形態９において、スマートフォン１０に表示される画面の一例を示す図である。
【発明を実施するための形態】
【００１６】
〔実施形態１〕
以下、本発明の実施の形態について、図１〜図４を用いて詳細に説明する。なお、説明の便宜上、各実施形態に示した部材と同一の機能を有する部材については、同一の符号を付し、適宜その説明を省略する。また、本実施形態における通信端末はスマートフォンであるが、本発明はこれに限定されない。すなわち、本発明における通信端末は、デスクトップ型ＰＣ、タブレット型ＰＣなど、他の通信端末に適用することができる。
【００１７】
（通知システム１の構成）
図１は、本発明の実施形態１に係る通知システム１の構成を示すブロック図である。通知システム１は、図１に示すように、スマートフォン（第１の通信端末）１０、スマートフォン（第２の通信端末）２０、およびサーバ３０によって構成されている。
【００１８】
通知システム１において、サーバ３０は、スマートフォン１０から識別情報（第１の識別情報）と通知先情報（第１の通知先情報）とを受信し、受信した識別情報と通知先情報とを関連付けて管理する。続いて、サーバ３０は、スマートフォン２０から識別情報（第２の識別情報）を受信し、スマートフォン１０から受信した識別情報と、スマートフォン２０から受信した識別情報とが一致する場合、サーバ３０は、スマートフォン１０から受信した通知先情報が示す通知先に通知内容（第１の通知内容）を通知する。
【００１９】
ここで、識別情報とは、本明細書では、タグ（より具体的には近距離通信タグ、以下、単にタグと称する）や２次元バーコードなどの識別子によって示される情報であり、ある識別子と他の識別子とを識別するために参照される情報である。また、識別子は、任意の対象に付すことができる。ここで当該対象は、例えば、迷子などの人、犬や猫などの動物、電化製品、鞄などの物が挙げられるが、これに限定されない。
【００２０】
また、識別子には、識別情報以外の情報（ただし、後述する通知先情報は除く）を含めることも可能である。例えば、後述する通知システム１を利用するためのアプリケーションをサーバ３０からダウンロードする指示が含まれていてもよい。これにより、ユーザは、スマートフォン１０を識別子にかざすだけで、上記アプリケーションをスマートフォン１０にダウンロードできる。もちろん、上記識別情報以外の情報として、上記アプリケーションを特定するＵＲＬを含める構成とし、ユーザが当該ＵＲＬから上記アプリケーションをマニュアル操作でダウンロードする構成としてもよい。
【００２１】
なお、識別子を付す場所や、識別子に含まれている識別情報以外の情報は変更可能である。このように、識別子に含まれている情報を変更して使用することや、通知システム１において、識別子に含まれる識別情報と関連付けられている通知先情報を変更して使用することを、識別子の再使用と称する。また、本実施形態において、識別子に含まれている情報を装置が取得することを、識別子を読み取るとも表現する。
【００２２】
また、上記説明における通知先情報とは、サーバ３０が通知する通知先を示す情報である。通知先情報の例として、電話番号、電子メールアドレス、後述する通知システム１を利用するためのアプリケーションを特定するＩＤ、ＵＲＬ（Ｕｎｉｆｏｒｍ  Ｒｅｓｏｕｒｃｅ  Ｌｏｃａｔｏｒ）などが挙げられる。
【００２３】
また、通知先へ通知する通知内容は、（１）事前にサーバ３０に設定されている、（２）識別子に含まれている、（３）スマートフォン１０またはスマートフォン２０から取得する、（４）他の入力装置から取得する、の何れの構成でもよい。
【００２４】
（スマートフォン１０の構成）
スマートフォン１０は、図１に示すように、通信部１１、制御部１２、およびユーザ操作受付部１３を備えている。
【００２５】
通信部１１は、ネットワーク２に接続されており、ネットワーク２を介してサーバ３０との間でデータを送受信することができる。
【００２６】
制御部１２は、スマートフォン１０の各構成を統括的に制御するものである。制御部１２は、図１に示すように、識別情報取得部１４、送信データ生成部１５、通知部１６としても機能する。
【００２７】
ユーザ操作受付部１３は、ユーザがハードキー、スイッチ、タッチセンサなどを操作して入力した情報を受け付ける。ユーザ操作受付部１３は、入力された情報を操作情報として、制御部１２に出力する。
【００２８】
（制御部１２の構成）
上述したように、制御部１２は、識別情報取得部１４、送信データ生成部１５、通知部１６としても機能する。
【００２９】
識別情報取得部１４は、識別子から識別情報を取得する。なお、上述したように、識別子に識別情報以外の情報が含まれている場合、識別情報取得部１４は、識別情報以外の情報も取得することができるものとする。
【００３０】
送信データ生成部（第１の送信手段、送信手段）１５は、サーバ３０に送信する送信データを生成する。
【００３１】
通知部１６は、サーバ３０から受信した通知内容を、スマートフォン１０のユーザに通知する。通知する手段としては、テキストを画面に表示する、音を出力する、スマートフォン１０を振動させる、スマートフォン１０が備える発光素子が光る、などが挙げられる。
【００３２】
なお、スマートフォン２０は、スマートフォン１０が識別情報と通知先情報とをサーバ３０に送信した後に識別情報をサーバ３０に送るという点において、スマートフォン１０と区別される。したがって、スマートフォン２０が備える各部は、スマートフォン１０が備える各部とそれぞれ同じ機能を有するため、その説明は省略する。
【００３３】
また、詳細は後述する実施形態において説明するが、スマートフォン１０の制御部１２、スマートフォン２０の制御部２２の有する各機能は、それぞれＣＰＵ（Central Processing Unit）上でアプリケーション（プログラム）を実行することによって実現してもよい。また、このアプリケーションは、スマートフォン１０の制御部１２の有する各機能とスマートフォン２０の制御部２２の有する各機能との両方を実現してもよい。また、このアプリケーションは、サーバ３０が有するアプリケーション配信部（不図示、アプリケーション配信手段）によって配信され、スマートフォン１０およびスマートフォン２０は、アプリケーション配信部からアプリケーションをダウンロード可能な構成であってもよい。以上のような機能を有するアプリケーションを、以下では、単にアプリケーションと称する場合もある。
【００３４】
（サーバ３０の構成）
サーバ３０は、図１に示すように、サーバ通信部３１、制御部３２、および通知先情報記録部３３を備えている。
【００３５】
サーバ通信部３１は、ネットワーク２に接続されており、ネットワーク２を介してスマートフォン１０およびスマートフォン２０との間でデータを送受信することができる。
【００３６】
制御部３２は、サーバ３０の各構成を統括的に制御するものである。制御部３２は、図１に示すように、受信部３４、管理部３５、および通知データ生成部３６としても機能する。
【００３７】
通知先情報記録部３３は、制御部３２から出力された情報を記録する。
【００３８】
（制御部３２の構成）
上述したように、制御部３２は、受信部（第１の受信手段、第２の受信手段）３４、管理部（管理手段）３５、および通知データ生成部（判定手段、通知手段）３６としても機能する。
【００３９】
受信部３４は、サーバ通信部３１を介してスマートフォン１０およびスマートフォン２０からネットワーク２を介して情報を受信し、受信した情報を管理部３５または通知データ生成部３６に出力する。
【００４０】
管理部３５は、取得した識別情報と通知先情報とを通知先情報記録部３３に出力して記録することにより、識別情報と通知先情報とを関連付けて管理する。
【００４１】
通知データ生成部３６は、取得した識別情報と一致する識別情報が通知先情報記録部３３にあるか否かを判定し、一致する識別情報が通知先情報記録部３３にある場合、当該識別情報に関連付けられている通知先情報を通知先情報記録部３３から取得し、当該通知先情報が示す通知先に通知内容を通知する。
【００４２】
（通知システム１の処理）
通知システム１の処理について、図２〜４を用いて説明する。
【００４３】
図２は、本発明の実施形態１に係る通知システム１の処理の流れを示すシーケンス図である。また、図３は、本発明の実施形態１において、スマートフォン１０に表示される画面の一例を示す図である。また、図４は、本発明の実施形態１において、通知先情報記録部３３に記録されているテーブルの一例を示す図である。
【００４４】
本実施形態では、共用の洗濯機に識別子が付されており、洗濯機のユーザはスマートフォン１０のユーザであり、通知先情報はスマートフォン１０に設定されている電子メールアドレスとする。また、サーバ３０は、洗濯が終わったことを示す通知内容を通知する。また、洗濯機に付された識別子は、取り外し可能であっても、洗濯機内に初めから内蔵されていても構わない。
【００４５】
（ステップＳ１）
まず、ユーザは洗濯機を利用する場合、スマートフォン１０においてアプリケーションを起動し、スマートフォン１０を識別子にかざす。これにより、識別情報取得部１４は、識別子から識別情報を取得し、取得した識別情報を送信データ生成部１５に出力する。
【００４６】
ステップＳ１において、ユーザがアプリケーションを起動したときにスマートフォン１０に表示される画面の例を、図３（ａ）に示す。図３（ａ）に示すように、スマートフォン１０の画面に、スマートフォン１０を識別子にかざすようにユーザを促すテキスト（図３（ａ）における「スマホをタグにかざしてください！」）を表示することにより、ユーザに適切に通知システム１を利用させることができる。
【００４７】
（ステップＳ２）
続いて、送信データ生成部１５は、通知先情報を取得する。通知先情報を取得する方法として、例えば、スマートフォン１０の画面に、通知先情報の入力を促すテキスト（例えば、「通知先のメールアドレスを入力してください」など）を表示し、ユーザ操作受付部１３を介してユーザが入力した通知先情報を、送信データ生成部１５が取得する構成が挙げられる。
【００４８】
また、ステップＳ２において、本実施形態のように、スマートフォン１０に設定されてある電子メールアドレスを通知先情報とする場合、ユーザは予め通知先情報として、スマートフォン１０に設定されてある電子メールアドレスとすることを、アプリケーションに設定できる構成でもよい。この場合、ユーザが通知先情報をスマートフォン１０に設定されてある電子メールアドレスに設定した後、スマートフォン１０は、図３（ｂ）に示すように、設定が完了したことを示すテキスト（図３（ｂ）における「このタグについての連絡先をこのスマホに設定しました」）を画面に表示してもよい。なお、他の実施形態においても、通知先情報として特に説明がない場合は、スマートフォン１０に設定されている電子メールアドレスが通知先情報として設定されているものとする。また、予め設定できる通知先情報は電子メールアドレスに限られず、スマートフォン１０に設定されてある電話番号、アプリケーションのＩＤなどを通知先情報として予め設定することができる。
【００４９】
（ステップＳ３）
送信データ生成部１５は、取得した識別情報と通知先情報とを、通信部１１を介してサーバ３０に送信する。
【００５０】
（ステップＳ４）
受信部３４は、サーバ通信部３１を介して、スマートフォン１０から送信された識別情報と通知先情報とを受信する。そして、受信した識別情報と通知先情報とを、管理部３５に出力する。
【００５１】
ステップＳ４において、受信部３４が受信した情報を管理部３５に出力するか、通知データ生成部３６に出力するかについて、受信部３４が受信した情報に識別情報と通知先情報とが含まれている場合、受信した情報は管理部３５によって管理される情報であるとして、受信部３４は、受信した情報を管理部３５に出力する構成としてもよい。
【００５２】
（ステップＳ５）
管理部３５は、取得した識別情報と通知先情報とを関連付けて、通知先情報記録部３３に記録する。通知先情報記録部３３に記録されているテーブルの一例を、図４に示す。図４に示すように、管理部３５は、識別情報と通知先情報とをテーブルとして記録することにより、識別情報と通知先情報とを関連付けて管理することが可能である。
【００５３】
なお、識別情報に関連付けられる通知先情報は、変更可能な構成であってもよい。例えば、受信部３４がスマートフォン１０から第１の識別情報と第１の通知先情報とを受信し、管理部３４が第１の識別情報と第１の通知先情報とを関連付けて管理しているとする。その後、受信部３４がスマートフォン１０から第１の識別情報と、第１の通知先情報とは異なる第２の通知先情報とを受信した場合、管理部３４は、第１の識別情報に関連付ける通知先情報を、第１の通知先情報から第２の通知先情報へと変更してもよい。こうすることにより、状況に応じた通知先を、ユーザに設定させることが可能になる。
【００５４】
（ステップＳ６）
続いて、スマートフォン２０のユーザは、洗濯機の洗濯が終了していることを確認した場合、スマートフォン２０においてアプリケーションを起動し、スマートフォン２０を識別子にかざす。これにより、識別情報取得部（識別情報取得手段）２４は、識別情報を取得し、取得した識別情報を送信データ生成部（第２の送信手段）２５に出力する。
【００５５】
（ステップＳ７）
生成データ生成部２５は、取得した識別情報を、通信部２１を介してサーバ３０に送信する。
【００５６】
（ステップＳ８）
受信部３４は、サーバ通信部３１を介して、スマートフォン２０から送信された識別情報を受信する。そして、受信部３４は、受信した識別情報を、通知データ生成部３６に出力する。
【００５７】
ステップＳ８において、受信部３４が受信した情報を管理部３５に出力するか、通知データ生成部３６に出力するかについて、受信部３４が受信した情報に、識別情報は含まれているが、通知先情報は含まれていない場合、受信した情報は通知データ生成部３６が通知先へ通知するための情報であるとして、受信部３４は、受信した情報を通知データ生成部３６に出力する構成としてもよい。
【００５８】
（ステップＳ９）
通知データ生成部３６は、受信部３６から取得した識別情報が、通知先情報記録部３３に記録されている識別情報と一致するか否かを判定する。
【００５９】
（ステップＳ１０）
ステップＳ９において、「取得した識別情報は、通知先情報記録部３３に記録されている識別情報と一致する」と判定された場合（ステップＳ９：Ｙｅｓ）、通知データ生成部３６は、取得した識別情報に関連付けられている通知先情報を通知先情報記録部３３から取得し、当該通知先情報が示す通知先に、サーバ通信部３１を介して通知内容を通知する。
【００６０】
（ステップＳ１１）
スマートフォン１０の通知部１６は、通信部１１を介して、サーバからの通知を受信する。そして、通知部１６は、受信した通知内容をユーザに通知する。
【００６１】
なお、ステップＳ９において、「取得した識別情報は、通知先情報記録部３３に記録されている識別情報と一致しない」と判定された場合（ステップＳ９：Ｎｏ）、サーバ３０の処理は終了する。
【００６２】
このように、本実施形態に係る通知システム１では、サーバ３０は、スマートフォン１０から識別情報と通知先情報とを受信し、当該識別情報と通知先情報とを関連付けて管理する。続いて、スマートフォン２０から識別情報を取得し、当該識別情報が、スマートフォン１０から受信した識別情報と一致する場合、当該識別情報に関連付けられている通知先情報が示す通知先に、通知内容を通知する。したがって、スマートフォン１０のユーザとスマートフォン２０のユーザはそれぞれ、お互いに個人情報を開示することなく、コミュニケーションを取ることが可能である。
【００６３】
〔実施形態２〕
上述の実施形態において、スマートフォン１０のユーザが複数の洗濯機を使用する場合、サーバ３０から洗濯が終わったことを知らせる通知をスマートフォン１０が受信しても、どの洗濯機の洗濯が終わったか、ユーザは知ることができない。そこで、本実施形態では、ユーザが複数の洗濯機を使用している場合に、どの洗濯機の洗濯が終わったのかユーザに知らせることができる通知システム１について、図５を用いて説明する。図５は、本発明の実施形態２において、スマートフォンに表示される画面の一例を示す図である。
【００６４】
本実施形態では、共用の洗濯機が複数あり、それぞれの洗濯機にタグや２次元バーコード等の識別子が付されており、それぞれの識別子は、識別情報と、シンボルを指定するシンボル指定情報とを含んでいるとする。
【００６５】
ここで、シンボルとは、ユーザが識別子同士を区別するための画像、文字、またはそれらの組み合わせであり、スマートフォン１０、及びスマートフォン２０は、シンボル指定情報によって指定されるシンボルを、自装置の画面に表示させることができる。一般に、複数のタグや２次元バーコードを、人が外観によって互いに区別するのは難しい。そこで、本実施形態のように、識別子にシンボル指定情報を含めておくことにより、ユーザに複数の識別子の中から特定の識別子を判別させることが可能になる。また、識別子にシンボル指定情報を含めておくことに加え、シンボル自体が付された識別子を用いることにより、ユーザ自身が識別子を外観によって区別することができるので便利である。
【００６６】
上述したステップＳ１において、スマートフォン１０のユーザは、アプリケーションを起動し、スマートフォン１０を識別子にかざす。ここで、スマートフォン１０の識別情報取得部１４は、識別子から識別情報とシンボル指定情報とを取得する。
【００６７】
続いて、上述したステップＳ２において、例えば、ユーザが通知先情報をスマートフォン１０に設定されている電子メールアドレスに設定した場合、図５（ａ）に示すように、スマートフォン１０は、設定が完了したことを示すテキスト（図５（ａ）における「このタグについての連絡先をこのスマホに設定しました。」）と、取得したシンボル指定情報が指定するシンボルとを画面に表示する。こうすることにより、スマートフォン１０は、複数の識別子のうち、当該シンボル指定情報が含まれている識別子について、通知先情報の設定が完了したことを、ユーザに知らせることができる。
【００６８】
次に、上述したステップＳ６において、スマートフォン２０のユーザはアプリケーションを起動し、スマートフォン２０を識別子にかざす。これにより、スマートフォン２０の識別情報取得部２４は、識別子から識別情報とシンボル指定情報とを取得する。この場合、例えば、図５（ｂ）〜（ｄ）に示すように、取得したシンボル指定情報が指定するシンボルを画面に表示させることにより、スマートフォン２０は、複数の識別子の中から、スマートフォン２０が何れの識別子を読み取ったのか、ユーザに知らせることができる。
【００６９】
さらに、例えば、図５（ｂ）において、ユーザが「通知」ボタンを押すと、スマートフォン２０は、図５（ｅ）に示すように、通知を完了したことを示すテキスト（図５（ｅ）における「通知を完了しました！」）とシンボル（図５（ｅ）における月の画像）とを画面に表示する。こうすることにより、スマートフォン２０は、月のシンボルを指定するシンボル指定情報が含まれている識別子が付された洗濯機の洗濯が終了した旨を、通知先に通知したことを、スマートフォン２０のユーザに対して、知らせることができる。
【００７０】
続いて、上述したステップＳ１０において、サーバ３０は、取得した識別情報に関連付けられている通知先情報が示す通知先に、シンボル指定情報を含めた通知内容を通知する。シンボル指定情報を含めた通知内容を受信したスマートフォン１０の通知部１６は、図５（ｆ）に示すように、通知内容を示すテキスト（図５（ｆ）における「洗濯が終わりました」）とシンボル（図５（ｆ）における月の画像）とを、スマートフォン１０の画面に表示させる。こうすることにより、スマートフォン１０は、ユーザに月のシンボルを指定するシンボル指定情報が含まれている識別子が付された洗濯機の洗濯が終わったことを知らせることができる。
【００７１】
なお、ステップＳ２において、識別情報取得部１４が取得したシンボル指定情報、およびステップＳ６において、識別情報取得部２４が取得したシンボル指定情報は、サーバ３０に送信されてもよい。この場合、サーバ３０は、識別情報とシンボル指定情報とを関連付けることにより、ステップＳ９において取得した識別情報を含む識別子に含まれているシンボル指定情報を、ステップＳ１０において通知先に送信することができる。もしくは、サーバ３０は、予め識別情報とシンボル指定情報とを関連付けて記録してもよく、この場合、サーバ３０は、シンボル指定情報を取得しなくても、取得した識別情報から、通知先にシンボル指定情報を送信することができる。
【００７２】
このように、本実施形態に係る通知システム１では、識別子を区別するためのシンボルを指定するシンボル指定情報を識別子に含ませることにより、複数の識別子のうち、どの識別子について通知がされたのか、ユーザに知らせることができる。
【００７３】
〔実施形態３〕
上述の実施形態では、誤った操作やいたずらによって、洗濯が終わっていないのに洗濯が終わったことを知らせる通知がスマートフォン１０に送信される場合がある。そこで、本実施形態では、時間によって利用を制限することができる通知システム１について、図６を用いて説明する。図６は、本発明の実施形態３において、スマートフォンに表示される画面の一例を示す図である。まず、所定時間経過するまで、サーバ３０が通知先に通知を行わない構成について、説明する。
【００７４】
上述したステップＳ４において、受信部３４は、スマートフォン１０から識別情報と通知先情報とを受信すると、時間の計測を開始する。そして、上述したステップＳ８において、受信部３４がスマートフォン２０から識別情報を受信したときに、受信部３４は、計測した時間が所定時間経過しているか否かを判定する。所定時間経過していないと判定された場合、受信部３４は、スマートフォン２０から受信した識別情報を通知データ生成部３６に出力しない。例えば、洗濯機が約２０分で洗濯を終了する場合、受信部３４は、所定時間を２０分として、２０分経過しなければ、スマートフォン２０から受信した識別情報を通知データ生成部３６に出力しない。
【００７５】
このように、本実施形態における通知システム１では、サーバ３０がスマートフォン２０から識別情報を受信しても、所定時間経過するまで、サーバ３０は、識別情報に関連付けられた通知先情報が示す通知先に通知内容を通知しない。したがって、通知システム１は、誤った操作による通知を防ぐことができる。
【００７６】
なお、受信部３４が所定時間経過しているか否かの判定は、所定の時刻になったか否かによって判定してもよい。例えば、１５時３０分に受信部３４がスマートフォン１０から識別情報と通知先情報とを受信した場合、受信部３４は、１５時５０分になるまで識別情報を通知データ生成部３６に出力しない構成でもよい。
【００７７】
また、時間の計測は、受信部３４が行うことに限定されない。例えば、通知データ生成部３６が時間の計測を行い、通知データ生成部３６は、受信部３４から識別情報を取得しても、所定時間経過するまで通知先に通知を行わない構成でもよい。また、時間の計測はサーバ３０で行うことにも限定されず、例えば、識別子が時間の計測を行い、スマートフォン１０によって識別子が読み取られた後、所定時間経過するまでは、次の人に識別子を読み取らせない構成でもよい。もしくは、スマートフォン２０によって識別子が読み取られた時に、識別情報と共に、スマートフォン１０によって読み取られてからの時間をスマートフォン２０の識別情報取得部２４に出力する。そして、スマートフォン２０が、所定時間経過するまでは、サーバ３０に識別情報を送信しない構成でもよい。また、この場合、所定時間経過するまでサーバ３０に識別情報を送信しないことを、スマートフォン２０の画面に表示してユーザに知らせてもよい。なお、時間の計測が何れによって行われるかということは、本実施形態以外においても同様であり、受信部３４やサーバ３０に限定されない。
【００７８】
続いて、サーバ３０が通知を終えた後、次の人が洗濯機を使う場合に、一定時間経過するまで洗濯機を使用できないことを通知する構成について、説明する。上述したステップＳ１０において、通知データ生成部３６が通知先に通知を行うと、受信部３４は、時間の計測を開始する。そして、新たに洗濯機を使用するユーザが、スマートフォン２０から識別情報と通知先情報とをサーバ３０に送信した場合、受信部３４は、所定時間経過したか否かを判定する。所定時間経過していないと判定された場合、受信部３４は、所定時間経過してないことを示す情報と、受信した識別情報と通知先情報とを、通知データ生成部３６に出力する。通知データ出力部３６は、所定時間経過していないので、洗濯機を使用することができないことを、通知先に通知する。
【００７９】
例えば、洗濯機が約２０分で洗濯を終了する場合、洗濯を終了した洗濯物をユーザが取り出すまでの時間を考慮し、所定時間を３０分とする。この場合、３０分経過するまでは、次の人が識別子を読み取り、サーバ３０に識別情報と通知先情報とを送信しても、まだ洗濯機は使用できない旨を通知する。スマートフォン２０のユーザが、前の人が洗濯を開始してから２５分後に識別子を読み取り、スマートフォン２０が、当該通知を受信した場合に表示される画面の一例を、図６（ａ）に示す。図６（ａ）に示すように、スマートフォン２０は、計測した時間（図６（ａ）における「経過時間：２５分」）と所定時間（図６（ａ）における「３０分」）とを含む通知を画面に表示することにより、ユーザに対して、今は洗濯機を使用できない状態であり、また、いつから洗濯機を使用することができるのか知らせることができる。
【００８０】
このように、本実施形態における通知システム１では、サーバ３０がスマートフォン２０から識別情報と通知先情報とを受信しても、所定時間経過するまで、サーバ３０は、識別子が付された洗濯機は使用できないことを、スマートフォン２０に通知する。したがって、サーバ３０は、ユーザに対して、識別子が付された物を適切に使用させることができる。
【００８１】
続いて、識別子の再使用が可能な場合であっても、一定時間経過するまで識別子を再使用できない構成について、説明する。まず、識別子を再使用する方法として、例えば、受信部３４がスマートフォン１０から第１の識別情報と第１の通知先情報とを受信し、管理部３４が第１の識別情報と第１の通知先情報とを関連付けて管理しているとする。その後、受信部３４がスマートフォン２０から第２の識別情報と、第３の通知先情報とを受信した場合、通知データ生成部３６は、第１の識別情報と第２の識別情報とが一致するか否かを判定する。通知データ生成部３６が、第１の識別情報と第２の識別情報とが一致すると判定した場合、管理部３５は、第２の識別情報と第３の通知先情報とを関連付けて管理する。こうすることにより、識別子によって通知される通知先情報を、スマートフォン２０から送信した第３の通知先情報に変更することができるので、識別子を何度も使用することができる。
【００８２】
上述したステップＳ１０において、通知データ生成部３６が通知先に通知を行うと、受信部３４は、時間の計測を開始する。そして、新たに識別子を使用するユーザが、スマートフォン２０から、識別情報と通知先情報とをサーバ３０に送信した場合、受信部３４は、所定時間経過したか否かを判定する。所定時間が経過していないと判定された場合、受信部３４は、所定時間経過してないことを示す情報と、受信した識別情報と通知先情報とを、通知データ生成部３６に出力する。通知データ出力部３６は、所定時間経過していないので、識別子を再使用することができないことを、通知先に通知する。また、上述したように、受信部３４による所定時間経過したか否かの判定は、所定の時刻になったか否かによって判定してもよい。
【００８３】
例えば、ユーザが洗濯機に付した識別子を、スマートフォン２０のユーザが使用する場合、所定時間を３０分とする。この場合、３０分経過するまでは、スマートフォン２０のユーザが当該識別子を読み出し、識別情報と通知先情報とを送信しても、サーバ３０は、受信した識別情報と通知先情報とを関連付けて管理せず、まだ識別子は使用できない旨をスマートフォン２０に通知する。スマートフォン２０のユーザが、前の人が識別子を使用し始めてから２５分後に識別子を読み取った場合に、スマートフォン２０に表示される画面を、図６（ｂ）に示す。図６（ｂ）に示すように、計測した時間（図６（ｂ）における「経過時間：２５分」）と所定時間（図６（ｂ）における「３０分」）とを含む通知を画面に表示することにより、ユーザに対して、今は識別子を再使用できない状態であり、また、いつから識別子を再使用することができるのか知らせることができる。
【００８４】
このように、本実施形態における通知システム１では、サーバ３０がスマートフォン２０から識別情報と通知先情報とを受信しても、所定時間経過するまで、または、所定の時刻になるまで、サーバ３０は、まだ識別子は再使用できないことを、スマートフォン２０に通知する。したがって、サーバ３０は、ユーザに対して、識別子を適切に使用させることができる。
【００８５】
〔実施形態４〕
上述の実施形態では、サーバ３０は予め定められた通知内容を通知先に通知したが、スマートフォン２０から受信した付加情報を含めた通知内容を、通知先に通知してもよい。本実施形態では、スマートフォン２０からテキスト情報を付加情報として取得する場合について、図７〜図９を用いて説明する。図７は、本発明の実施形態４に係る通知システム１の処理の流れを示すシーケンス図である。また、図８は、本発明の実施形態４において、スマートフォンに表示される画面の一例を示す図である。また、図９は、本発明の実施形態４において、通知先情報記録部３３に記録されているテーブルの一例を示す図である。
【００８６】
本実施形態において、識別子は、例えば駅前などに設置してある、迷い猫探しの張り紙が掲示されている掲示板に付されているものとする。
【００８７】
まず、スマートフォン１０が識別情報と通知先情報とを取得し、サーバに送信するステップＳ１〜３、および、サーバ３０が識別情報と通知先情報とを受信し、関連付けて管理するステップＳ４〜５については、上述した処理と同じため、説明は省略する。
【００８８】
（ステップＳ６）
スマートフォン２０のユーザは、掲示板の張り紙で言及されている猫と思われる迷い猫を見かけた場合、アプリケーションを起動し、スマートフォン２０を識別子にかざす。これにより、識別情報取得部２４は、識別情報を取得し、取得した識別情報を送信データ生成部２５に出力する。
【００８９】
（ステップＳ２１）
続いて、送信データ生成部２５は、ユーザによって入力されたテキスト情報を、ユーザ操作受付部２３から取得する。
【００９０】
ステップＳ２１において、スマートフォン２０の画面に表示される画面の例を、図８（ａ）に示す。図８（ａ）に示すように、ユーザはスマートフォン１０のユーザに通知したい内容（図８（ａ）における「その猫なら、１０月１０日にＸＸデパートの前で見かけました」）を、スマートフォン２０に入力する。また、この場合、スマートフォン２０は、テキスト情報だけではなく、画像データを取得してもよい。図８（ｂ）に示すように、スマートフォン２０に保存されている画像データから、スマートフォン１０のユーザに送りたい画像（図８（ｂ）における猫の画像）をユーザが選択することにより、スマートフォン２０は画像データを取得することができる。
【００９１】
（ステップＳ２２）
生成データ生成部２５は、取得した識別情報、および取得したテキスト情報を付加情報として、通信部２１を介してサーバ３０に送信する。
【００９２】
（ステップＳ２３）
受信部３４は、サーバ通信部３１を介して、スマートフォン２０から送信された識別情報と付加情報とを受信する。そして、受信した識別情報と付加情報とを、通知データ生成部３６に出力する。
【００９３】
なお、受信部３４が受信した識別情報と付加情報とは、管理部３５によって管理されてもよい。この場合、通知先情報記録部３３に記録されているテーブルの一例を、図９に示す。図９に示すように、管理部３５は、識別情報と通知先情報と付加情報とをテーブルとして記録することにより、識別情報と通知先情報とに加えて、付加情報も関連付けて管理することが可能である。
【００９４】
（ステップＳ９）
通知データ生成部３６は、受信部３４から取得した識別情報が、通知先情報記録部３３に記録されている識別情報と一致するか否かを判定する。なお、ステップＳ９において、「受信部３６から取得した識別情報が、通知先情報記録部３３に記録されている識別情報と一致しない」と判定された場合（ステップＳ９：Ｎｏ）、上述した説明と同様、サーバ３０の処理は終了する。
【００９５】
（ステップＳ２４）
ステップＳ９において、「受信部３６から取得した識別情報が、通知先情報記録部３３に記録されている識別情報と一致する」と判定された場合（ステップＳ９：Ｙｅｓ）、通知データ生成部３６は、取得した識別情報に関連付けられている通知先情報を通知先情報記録部３３から取得し、当該通知先情報が示す通知先に、サーバ通信部３１を介して、付加情報を含めた通知内容を通知する。
【００９６】
（ステップＳ２５）
スマートフォン１０の通知部１６は、通信部１１を介して、サーバ３０から付加情報を含めた通知内容を受信する。そして、通知部１６は、付加情報を含めた通知内容をユーザに通知する。
【００９７】
このように、本実施形態に係る通知システム１では、サーバ３０は、テキストや画像を付加情報として通知内容に含めて、通知先に通知することができる。したがって、サーバ３０は、ユーザの個人情報を開示することなく、不特定多数の人から様々な情報を取得して、ユーザに通知することができる。
【００９８】
〔実施形態５〕
上述の実施形態４では、掲示板に張り紙がされている迷い猫を見つけても、掲示板に行かないとスマートフォン１０のユーザに通知できなかったので、通知を受けたユーザは、迷い猫が今どこにいるのかということは、分からなかった。そこで、リアルタイムの情報をスマートフォン１０のユーザに通知する構成について、図１０を用いて説明する。図１０は、本発明の実施形態５において、スマートフォン２０に表示される画面の一例を示す図である。
【００９９】
本実施形態において、識別子は、例えば子供や犬、猫など、居場所が分からなくなりそうな人や動物に付されているものとする。
【０１００】
上述したステップＳ２１において、スマートフォン２０のユーザは、識別子が付された人や動物の写真を撮影し、送信データ生成部２５は、当該写真の画像データを付加情報としてサーバ３０に送信する。例えば、図１０に示すように、ユーザは識別子が付された猫の現在の写真を撮影し、スマートフォン２０は、撮影された写真の画像データを付加情報としてサーバ３０に送信する。この場合、過去にユーザが撮影してスマートフォン２０に保存されていた画像データは送信できないように、ユーザが今撮影した写真の画像データ以外は送信できない構成としてもよい。
【０１０１】
また、上述したステップＳ２１において、スマートフォン２０が備える位置情報取得部（不図示）によって取得された位置情報（緯度、経度、高度を含む情報）を、付加情報として送信する構成であってもよい。
【０１０２】
このように、本実施形態に係る通知システム１では、サーバ３０は、識別子が付されている人や動物の現在の画像データや位置情報を含めた通知内容を、通知することができる。したがって、サーバ３０は、通知先のユーザに、識別子が付された人や動物は現在どのような状態でどこにいるのかを、知らせることができる。
【０１０３】
また、サーバ３０は、画像データを含めた通知内容を通知することにより、スマートフォン２０のユーザが見かけた人や猫が、通知先のユーザが探している人や猫であるか否かを、通知先のユーザに容易に判断させることができる。
【０１０４】
また、一般的に、人を探す場合、顔や容姿を公開しなければ、第三者からその人に関する情報を得ることは難しい。一方、顔や容姿を公開することにより、プライバシーを侵害されてしまうという問題もある。しかしながら、本実施形態に係る通知システム１では、サーバ３０は、不特定多数の人に顔や容姿を公開することなく、通知先のユーザが探している人の居場所を知らせる位置情報を、通知先のユーザに知らせることができる。また、サーバ３０は、画像データを含めた通知内容を通知することにより、スマートフォン２０のユーザが見かけた人が、通知先のユーザが探している人であるか否かを、通知先のユーザに容易に判断させることができる。
【０１０５】
さらに、スマートフォン２０のユーザが今撮影した写真の画像データ以外は、サーバ３０に送信できない構成とした場合、サーバ３０は、過去に偶然、通知先のユーザが探している人や動物の写真を入手したユーザからのいたずら目的の通知を防ぐことができる。
【０１０６】
〔実施形態６〕
上述の実施形態５では、識別子は居場所が分からなくなりそうな人や動物に付されたが、識別子は、失くしそうな物に付されてもよい。
【０１０７】
上述したステップＳ２１において、スマートフォン２０のユーザは、識別子が付された物の写真を撮影し、送信データ生成部２５は、当該写真の画像データを付加情報としてサーバ３０に送信する。この場合、上述した実施形態５と同様、ユーザが今撮影した写真の画像データ以外は送信できない構成としてもよく、また、付加情報として位置情報をサーバ３０に送信する構成であってもよい。
【０１０８】
このように、本実施形態に係る通知システム１では、サーバ３０は、識別子が付されている物の現在の画像データや位置情報を含めた通知内容を、通知することができる。したがって、サーバ３０は、通知先のユーザに、識別子が付された物は現在どのような状態でどこにあるのかを、知らせることができる。
【０１０９】
また、人や動物を探す場合、人や動物は見失った場所から別の場所へ動いていると考えられるが、失くした物は、失くした場所からあまり動かない場合が多いと考えられる。そのため、本実施形態に係る通知システム１では、通知先のユーザが物を失くしたおおよその位置を知っている場合、サーバ３０は、スマートフォン２０のユーザが見かけた物が、通知先のユーザが探している物であるか否かを判断するために役立つ位置情報を、通知先のユーザに知らせることができる。
【０１１０】
〔実施形態７〕
本実施形態では、識別子を家の門や玄関扉の近くに付すことにより、インターホンの代わりとして利用する構成について、説明する。
【０１１１】
上述したステップＳ２１において、スマートフォン２０のユーザは、識別子周辺の風景の写真を撮影し、送信データ生成部２５は、当該写真の画像データを付加情報としてサーバ３０に送信する。この場合、上述した実施形態５および６と同様、ユーザが今撮影した写真の画像データ以外は送信できない構成としてもよく、また、付加情報として位置情報をサーバ３０に送信する構成であってもよい。
【０１１２】
このように、本実施形態に係る通知システム１では、サーバ３０は、識別子が付されている家の門や玄関扉の近くの現在の画像データや位置情報を含めた通知内容を、通知することができる。したがって、サーバ３０は、住人が家に不在であっても、今家に来客があったことを住人に知らせることができる。
【０１１３】
また、スマートフォン２０のユーザが今撮影した写真の画像データ以外はサーバ３０に送信できない構成とした場合、サーバ３０は、スマートフォン２０のユーザの顔写真をサーバ３０に送信させることにより、来客が知人であるか、信頼できる人であるか、または全く面識のない人であるかなど、どのような人が家を訪れたのかという事を、通知先のユーザに知らせることができる。
【０１１４】
さらに、スマートフォン２０のユーザが今撮影した写真の画像データ以外はサーバ３０に送信できない構成とした場合、サーバ３０は、識別子周辺の風景の写真の画像データを付加情報とした通知内容を通知することにより、来客が本当に家まで来ているか否かを、通知先のユーザに知らせることができる。
【０１１５】
〔実施形態８〕
上述の実施形態では、サーバ３０は、スマートフォン１０にのみ通知を行ったが、スマートフォン２０にも通知を行ってもよい。サーバ３０がスマートフォン１０およびスマートフォン２０に通知を行う構成について、図１１および図１２を用いて説明する。図１１は、本発明の実施形態８に係る通知システム１の処理の流れを示すシーケンス図である。また、図１２は、本発明の実施形態８において、スマートフォンに表示される画面の一例を示す図である。
【０１１６】
本実施形態において、識別子は、例えば競馬場の座席やコンサート会場の座席など、誰でも自由に座ることができる座席に付されているものとする。また、座席のルールとして、座席を確保した人が座席から離れた場合、座席から離れて３０分間は座席に座る権利を有しているとする。
【０１１７】
まず、スマートフォン１０が識別情報（第１の識別情報）と通知先情報（第１の通知先情報）とを取得し、サーバ３０に送信するステップＳ１〜３、および、サーバ３０が識別情報と通知先情報とを受信し、関連付けて管理するステップＳ４〜５については、上述した処理と同じため、説明は省略する。
【０１１８】
（ステップＳ３１）
受信部３４は、スマートフォン１０から識別情報と通知先情報とを取得した後、時間の計測を開始する。なお、実施形態３において説明したように、時間の計測は、受信部３４が行うことに限定されない。
【０１１９】
（ステップＳ６）
スマートフォン２０のユーザは、誰も座っていない座席を見つけた場合、アプリケーションを起動し、スマートフォン２０を識別子にかざす。これにより、識別情報取得部２４は、識別情報（第２の識別情報）を取得し、取得した識別情報を送信データ生成部２５に出力する。
【０１２０】
（ステップＳ３２）
続いて、送信データ生成部２５は、通知先情報を取得する。通知先情報を取得する方法は、上述したステップＳ２と同様であるため、説明は省略する。
【０１２１】
（ステップＳ３３）
送信データ生成部２５は、取得した識別情報と通知先情報とを、通信部２１を介してサーバ３０に送信する。
【０１２２】
（ステップＳ３４）
受信部３４は、サーバ通信部３１を介して、スマートフォン２０から送信された識別情報（第２の識別情報）と通知先情報とを受信する。そして、受信した識別情報と通知先情報とを、通知データ生成部３６に出力する。
【０１２３】
なお、受信部３４が受信した識別情報と通知先情報とは、管理部３５に出力され、管理部３５によって識別情報と通知先情報とを関連付けて管理されてもよい。
【０１２４】
（ステップＳ９）
通知データ生成部３６は、受信部３６から取得した識別情報が、通知先情報記録部３３に記録されている識別情報と一致するか否かを判定する。なお、ステップＳ９において、「受信部３６から取得した識別情報が、通知先情報記録部３３に記録されている識別情報と一致しない」と判定された場合（ステップＳ９：Ｎｏ）、上述した説明と同様、サーバ３０の処理は終了する。
【０１２５】
（ステップＳ３５）
ステップＳ９において、「受信部３６から取得した識別情報が、通知先情報記録部３３に記録されている識別情報と一致する」と判定された場合（ステップＳ９：Ｙｅｓ）、通知データ生成部３６は、受信部３６から、計測した時間を取得する。
【０１２６】
（ステップＳ３６）
通知データ生成部３６は、取得した識別情報に関連付けられている通知先情報を通知先情報記録部３３から取得し、当該通知先情報が示す通知先に、サーバ通信部３１を介して、取得した時間に応じた通知内容（第１の通知内容）を通知する。
【０１２７】
本実施形態において、スマートフォン１０のユーザは、座席を離れてから３０分間は座席に座る権利を有しているため、例えば、通知データ生成部３６が取得した時間が２５分であった場合、通知データ生成部３６は、もうすぐ座席に座る権利が他の人に移ることを通知先に通知する。
【０１２８】
また、例えば、通知データ生成部３６が取得した時間が３５分であった場合、通知データ生成部３６は、既に３０分以上経過したので、座席に座る権利が他の人に移ったことを通知先に通知する。
【０１２９】
（ステップＳ３７）
スマートフォン１０の通知部１６は、通信部１１を介して、サーバ３０からの通知を受信する。そして、通知部１６は、受信した通知をユーザに通知する。
【０１３０】
例えば、通知データ生成部３６からの通知内容（第１の通知内容）が、もうすぐ座席に座る権利が他の人に移ることであった場合、通知部１６は、例えば、図１２（ａ）に示すように、通知内容を示すテキスト（図１５（ａ）における「席を離れてから２５分経過  すぐに戻ってスマホを席にかざさないと、席に座る権利は他の人に移るかもしれません」）をスマートフォン１０の画面に表示させることにより、ユーザに対して、もうすぐ座席に座る権利が他の人に移ることを知らせることができる。また、図１２（ａ）に示すように、実施形態２において説明したシンボルを通知部１６が表示させることにより、ユーザが複数の座席を確保していた場合に、どの座席の権利が他の人にもうすぐ移るのかということを、知らせることができる。
【０１３１】
また、例えば、通知データ生成部３６からの通知内容（第１の通知内容）が、座席に座る権利が他の人に移ったことであった場合、通知部１６は、例えば、図１２（ｂ）に示すように、通知内容を示すテキスト（図１５（ｂ）における「席を離れてから３５分経過  席に座る権利は、他の人に移りました。」）をスマートフォン１０の画面に表示させることにより、ユーザに対して既に座席に座る権利は他の人に移ったことを知らせることができる。
【０１３２】
（ステップＳ３８）
続いて、通知データ生成部３６は、受信部３４がスマートフォン２０から受信した通知先情報（第２の識別情報に関連付けられた通知先情報）が示す通知先にも、取得した時間に応じた通知内容（第２の通知内容）を通知する。
【０１３３】
本実施形態において、スマートフォン１０のユーザは、座席を離れてから３０分間は座席に座る権利を有しているため、例えば、通知データ生成部３６が取得した時間が２５分であった場合、通知データ生成部３６は、まだ席に座る権利は獲得できないことを通知先に通知する。
【０１３４】
また、例えば、通知データ生成部３６が取得した時間が３５分であった場合、通知データ生成部３６は、既に３０分以上経過したので、座席に座る権利を獲得したことを通知先に通知する。
【０１３５】
（ステップＳ３９）
スマートフォン２０の通知部２６は、通信部２１を介して、サーバ３０からの通知を受信する。そして、通知部２６は、受信した通知をユーザに通知する。
【０１３６】
例えば、通知データ生成部３６からの通知内容（第２の通知内容）が、まだ席に座る権利は獲得できないことであった場合、通知部２６は、例えば、図１２（ｃ）に示すように、通知内容を示すテキスト（図１２（ｃ）における「席に座っていた人が席を離れてからの経過時間：２５分  席に座っていた人が席を離れてから３０分超経過しないと、席に座る権利は獲得できません。」）をスマートフォン２０の画面に表示させることにより、ユーザに対して、まだ席に座る権利は獲得できていないことを知らせることができる。
【０１３７】
また、例えば、通知データ生成部３６からの通知内容（第２の通知内容）が、座席に座る権利を獲得したことであった場合、通知部２６は、例えば、図１２（ｄ）に示すように、通知内容を示すテキスト（図１２（ｄ）における「席に座っていた人が席を離れてからの経過時間：３５分  席に座っていた人が席を離れてから３０分超経過しているので、席に座る権利はあなたに移りました。」）をスマートフォン２０の画面に表示させることにより、ユーザに対して、座席に座る権利を獲得したことを知らせることができる。
【０１３８】
なお、スマートフォン２０から識別情報と通知先情報とを受信部３４が受信しない場合でも、通知データ生成部３６は、スマートフォン１０に取得した時間に応じた通知を行ってもよい。例えば、通知データ生成部３６は、５分ごとに計測した時間を取得するとした場合、１５分経過すると、図１２（ｅ）に示す画面をスマートフォン１０に表示させることにより、ユーザに対して、３０分以内に席に戻らなければ席に座る権利が他の人に移るかもしれないことを、知らせることができる。
【０１３９】
このように、本実施形態に係る通知システム１では、サーバ３０は、スマートフォン１０とスマートフォン２０との両方に通知を行うことができる。したがって、サーバ３０は、スマートフォン１０のユーザとスマートフォン２０のユーザとに、お互いに個人情報を開示させることなく、情報を共有させることができる。
【０１４０】
〔実施形態９〕
上述の実施形態では、通知先情報は、通知先情報を送信したスマートフォン１０に設定されている電子メールアドレスであったが、通知先はスマートフォン１０以外でもよい。通知先をスマートフォン１０以外に設定する構成について、図１３〜図１６を用いて説明する。
【０１４１】
（通知装置４０の構成）
図１３は、本発明の実施形態９に係る通知システム１の構成を示すブロック図である。図１３に示すように、本実施形態の通知システム１は、上述の構成に加えて、通知装置４０を備えている。
【０１４２】
通知装置４０は、サーバ３０から受信した通知をユーザに知らせる装置であり、通信部４１および通知部４２を備えている。なお、通信部４１は、上述した通信部１１と同様の機能を有し、通知部４２は、上述した通知部１６と同様の機能を有しているため、詳細な説明は省略する。
【０１４３】
本実施形態において、共用の洗濯機に識別子が付されており、サーバ３０は、洗濯が終わったことを示す通知内容を通知する。また、通知先情報として、風呂屋のサーバのＵＲＬを設定しているとする。
【０１４４】
（通知システム１の処理）
図１４は、本発明の実施形態９に係る通知システム１の処理の流れを示すシーケンス図である。
【０１４５】
まず、スマートフォン１０が識別情報と通知先情報とを取得し、サーバに送信するステップＳ１から、サーバ３０が通知先に通知を行うステップＳ１０までは、上述した処理と同じため、説明は省略する。
【０１４６】
なお、ステップＳ２における通知先情報は、上述したように、風呂屋のサーバのＵＲＬであり、ユーザからユーザ操作受付部１３を介して入力される。この場合、通知先情報記録部３３が記録するテーブルの一例を、図１５に示す。図１５は、本発明の実施形態９において、通知先情報記録部３３に記録されているテーブルの一例を示す図である。図１５に示すように通知先情報記録部３３は、識別情報に関連付けられた通知先情報として、ＵＲＬを記録している。
【０１４７】
（ステップＳ４１）
続いて、通知装置４０の通知部４２は、サーバ３０からの通知を、通信部４１を介して受信する。そして、通知部４２は、受信した通知内容をユーザに通知する。本実施形態においては、例えば、風呂屋のサーバに接続されたスピーカから、通知内容である洗濯が終了したことを音声にて出力する。ここで、スピーカから通知する通知内容に、ユーザの名前が含まれていると、プライバシーを侵害される虞があるため、ステップＳ２において、送信データ生成部１５は、通知する内容を取得し、サーバ３０に送信する構成であってもよい。この場合、ユーザが通知する内容をスマートフォン１０に入力する画面を、図１６に示す。
【０１４８】
図１６は、本発明の実施形態９において、スマートフォン１０に表示される画面の一例を示す図である。図１６に示すように、例えば、スマートフォン１０は、通知内容として合言葉をユーザから取得する。こうすることにより、上述したステップＳ１０において、スピーカから通知内容（図１６における「げんこつやま」）が出力されると、スピーカからの音声は不特定多数の人に聞こえてしまうが、ユーザの個人情報は開示されず、かつ、ユーザには、洗濯が終わったことを知らせることができる。
【０１４９】
このように、本実施形態に係る通知システム１では、サーバ３０は、ネットワーク２に接続されている通知装置４０に、通知を行うことができる。したがって、サーバ３０は、ユーザがスマートフォン１０を持っていない状況でも、ユーザに通知を行うことができる。また、サーバ３０は、予め通知内容をスマートフォン１０のユーザから取得することにより、通知内容を不特定多数の人に通知してしまう場合でも、ユーザの個人情報を開示することなく、ユーザに通知することができる。
【０１５０】
〔実施形態１０〕
スマートフォン１０、スマートフォン２０、およびサーバ３０の制御部は、集積回路（ＩＣチップ）等に形成された論理回路（ハードウェア）によって実現してもよいし、ＣＰＵ（Central Processing Unit）を用いてソフトウェアによって実現してもよい。
【０１５１】
後者の場合、スマートフォン１０、スマートフォン２０、およびサーバ３０の制御部は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５２】
〔まとめ〕
本発明の態様１に係るサーバ（３０）は、第１の識別情報と第１の通知先情報とを受信する第１の受信手段（受信部３４）と、上記第１の識別情報と上記第１の通知先情報とを関連付けて管理する管理手段（管理部３５）と、第２の識別情報を受信する第２の受信手段（受信部３４）と、上記第２の識別情報と上記第１の識別情報とが一致するか否かを判定する判定手段（通知データ生成部３６）と、上記判定手段が一致すると判定した場合に、上記第１の識別情報に関連付けられた通知先情報が示す通知先に第１の通知内容を通知する通知手段（通知データ生成部３６）と、を備える。
【０１５３】
上記の構成によれば、サーバは、第１の識別情報と第１の通知先情報とを受信し、第１の識別情報と第１の通知先情報とを関連付けて管理する。続いて、第２の識別情報を取得し、第２の識別情報が、第１の識別情報と一致する場合、第１の識別情報に関連付けられている通知先情報が示す通知先に、通知内容を通知する。したがって、サーバは、第１の識別情報を送信したユーザおよび第２の識別情報を送信したユーザに、お互いの個人情報を開示させることなく、コミュニケーションを取らせることが可能である。
【０１５４】
本発明の態様２に係るサーバは、上記態様１において、上記通知手段は、所定の時刻になった場合、または、上記第１の受信手段が上記第１の識別情報と上記第１の通知先情報とを受信してから所定の時間が経過した場合に通知を行ってもよい。
【０１５５】
上記の構成によれば、サーバは、所定の時刻になった場合、または、第１の識別情報と第１の通知先情報とを受信してから所定時間経過した場合、通知先に通知するので、誤った操作による通知を防ぐことができる。
【０１５６】
本発明の態様３に係るサーバは、上記態様１または２において、上記第１の受信手段が、上記第１の識別情報、および、上記第１の通知先情報とは異なる第２の通知先情報を受信した場合、上記管理手段は、上記第１の識別情報と、上記第２の通知先情報とを関連付けて管理してもよい。
【０１５７】
上記の構成によれば、サーバは、第１の識別情報に関連付けられた通知先情報を変更することができるので、状況に応じた通知先をユーザに設定させることが可能になる。
【０１５８】
本発明の態様４に係るサーバは、上記態様１〜３において、上記第２の受信手段が、上記第２の識別情報に加えて第３の通知先情報を受信した場合であって、上記判定手段によって上記第２の識別情報と上記第１の識別情報とが一致すると判定された場合、上記管理手段は、上記第２の識別情報と上記第３の通知先情報とを関連付けて管理してもよい。
【０１５９】
上記の構成によれば、サーバは、第１の識別情報に関連付けていた通知先情報を、第２の識別情報とともに受信した第３の通知先情報に変更することができるので、不特定のユーザに通知をすることができる。
【０１６０】
本発明の態様５に係るサーバは、上記態様４において、上記管理手段は、所定の時刻になるまで、または、上記第１の受信手段が上記第１の識別情報と上記通知先情報とを受信してから所定の時間が経過するまで、上記第１の識別情報と上記第１の通知先情報との関連付けを変更しなくてもよい。
【０１６１】
上記の構成によれば、サーバは、所定の時刻になった場合、または、第１の識別情報と第１の通知先情報とを受信してから所定時間経過した場合、第１の識別情報と第１の通知先情報との関連付けを変更するので、誤った操作による通知先情報の変更を防ぐことができる。
【０１６２】
本発明の態様６に係るサーバは、上記態様１〜５において、上記第２の受信手段は、上記第２の識別情報に加えて付加情報を受信し、上記通知手段は、上記第１の通知内容に上記付加情報を含めて通知してもよい。
【０１６３】
上記の構成によれば、サーバは、第２の受信手段が受信した付加情報を含めた通知内容を通知するので、不特定多数の人から取得した様々な情報をユーザに通知することができる。
【０１６４】
本発明の態様７に係るサーバは、上記態様１〜６において、上記第２の識別情報を送信する送信手段として通信端末を機能させるためのアプリケーションを配信するアプリケーション配信手段（アプリケーション配信部）をさらに備えてもよい。
【０１６５】
上記の構成によれば、サーバは、上記第２の識別情報を送信するためのアプリケーションを通信端末に配信することができるので、通信端末から適切に第２の識別情報を受信することができる。
【０１６６】
本発明の態様８に係るサーバは、上記態様１〜７において、上記通知手段は、上記第１の識別情報に関連付けられた通知先情報が示す通知先に上記第１の通知内容を通知することに加えて、上記第２の識別情報に関連付けられた通知先情報が示す通知先に第２の通知内容を通知してもよい。
【０１６７】
上記の構成によれば、サーバは、第１の識別情報に関連付けられた通知先と、第２の識別情報に関連付けられた通知先とに、通知を行うことができるので、お互いに個人情報を開示していないユーザに対して、情報を共有させることができる。
【０１６８】
本発明の態様９に係る通知システムは、第１の通信端末、第２の通信端末、およびサーバを備える通知システムであって、上記第１の通信端末は、第１の識別情報と通知先情報とを上記サーバに送信する第１の送信手段を備え、上記第２の通信端末は、第２の識別情報を取得する識別情報取得手段と、上記識別情報取得手段が取得した第２の識別情報を上記サーバに送信する第２の送信手段と、を備え、上記サーバは、上記第１の通信端末から、上記第１の識別情報と上記通知先情報とを受信する第１の受信手段と、上記第１の受信手段が受信した第１の識別情報と通知先情報とを関連付けて管理する管理手段と、上記第２の通信端末から、上記第２の識別情報を受信する第２の受信手段と、上記第２の識別情報と上記第１の識別情報とが一致するか否かを判定する判定手段と、上記判定手段が一致すると判定した場合に、上記第１の識別情報に関連付けられた通知先情報が示す通知先に通知内容を通知する通知手段と、を備える。
【０１６９】
上記の構成によれば、通知システムは、上記態様１と同様の効果を奏することができる。
【０１７０】
本発明の態様１０に係る制御方法は、制御装置を制御する制御方法であって、第１の識別情報と通知先情報とを受信する第１の受信工程と、上記第１の識別情報と上記通知先情報とを関連付けて管理する管理工程と、第２の識別情報を受信する第２の受信工程と、上記第２の識別情報と上記第１の識別情報とが一致するか否かを判定する判定工程と、上記判定工程において一致すると判定された場合に、上記第１の識別情報に関連付けられた通知先情報が示す通知先に通知内容を通知する通知工程と、を含む。
【０１７１】
上記の構成によれば、制御方法は、上記態様１と同様の効果を奏することができる。
【０１７２】
本発明の態様１１に係る通信端末は、人、動物、又は物に付された識別子が示す識別情報を取得する識別情報取得手段（識別情報取得部１４）と、上記識別情報と通知先情報とをサーバに送信する送信手段（送信データ生成部１５）と、上記サーバから通知内容を受信する受信手段（通知部１６）と、を備える。
【０１７３】
上記の構成によれば、上記態様９に係る通知システムに用いられる第１の通信端末を実現することができる。
【０１７４】
本発明の態様１２に係る通信端末は、人、動物、又は物に付された識別子が示す識別情報を取得する識別情報取得手段（識別情報取得部２４）と、上記識別情報をサーバに送信する送信手段（送信データ生成部２５）と、を備える。
【０１７５】
上記の構成によれば、上記態様９に係る通知システムに用いられる第２の通信端末を実現することができる。
【０１７６】
本発明の各態様に係る通信端末は、コンピュータによって実現してもよく、この場合には、コンピュータを上記通信端末が備える各手段として動作させることにより上記通信端末をコンピュータにて実現させる通信端末の制御プログラム、およびそれを記録したコンピュータ読み取り可能な記録媒体も、本発明の範疇に入る。
【０１７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７８】
本発明は、お互いに個人情報を開示せずにコミュニケーションを取るためのシステムに利用することができる。
【符号の説明】
【０１７９】
１  通知システム
２  ネットワーク
１０  スマートフォン（第１の通信端末）
１１  通信部
１２  制御部
１３  ユーザ操作受付部
１４  識別情報取得部
１５  送信データ生成部（第１の送信手段、送信手段）
１６  通知部
２０  スマートフォン（第２の通信端末）
２１  通信部
２２  制御部
２３  ユーザ操作受付部
２４  識別情報取得部
２５  送信データ生成部（第２の送信手段）
２６  通知部
３０  サーバ
３１  サーバ通信部
３２  制御部
３３  通知先情報記録部
３４  受信部（第１の受信手段、第２の受信手段）
３５  管理部（管理手段）
３６  通知データ生成部（判定手段、通知手段）
４０  通知装置
４１  通信部
４２  通知部
【図１】
2015115891.tif 000003
【図２】
2015115891.tif 000004
【図３】
2015115891.tif 000005
【図４】
2015115891.tif 000006
【図５】
2015115891.tif 000007
【図６】
2015115891.tif 000008
【図７】
2015115891.tif 000009
【図８】
2015115891.tif 000010
【図９】
2015115891.tif 000011
【図１０】
2015115891.tif 000012
【図１１】
2015115891.tif 000013
【図１２】
2015115891.tif 000014
【図１３】
2015115891.tif 000015
【図１４】
2015115891.tif 000016
【図１５】
2015115891.tif 000017
【図１６】
2015115891.tif 000018